【手続補正書】
【提出日】平成22年3月2日(2010.3.2)
【手続補正１】
【補正対象書類名】特許請求の範囲
【補正対象項目名】全文
【補正方法】変更
【補正の内容】
【特許請求の範囲】
【請求項１】
光源から射出された光を、入力される画像情報に応じて変調して光学像を形成する光変調装置と、形成した光学像を拡大投射する投射光学装置とを備えるプロジェクタ本体と、当該プロジェクタ本体に前記画像情報を出力する画像出力装置と、前記プロジェクタ本体および前記画像出力装置を相対回転可能に連結させる連結機構とを備えるプロジェクタであって、
前記プロジェクタ本体および前記画像出力装置の回転位置を検出するための回転位置検出手段と、
前記プロジェクタ本体を制御する制御手段とを備え、
前記制御手段は、
前記回転位置検出手段の検出結果に基づいて、前記プロジェクタ本体および前記画像出力装置の回転速度を算出する回転速度算出部と、
前記回転位置検出手段の検出結果に基づいて、前記投射光学装置から射出される光の輝度を調整するか否かを判定する調整判定部と、
前記調整判定部による判定結果に応じて、前記調整を実施する輝度調整部とを備え、
前記調整判定部は、
前記回転速度算出部により算出される回転速度が所定速度より大きいときに、前記投射光学装置から射出される光の輝度を調整すると判定することを特徴とするプロジェクタ。
【請求項２】
請求項１に記載のプロジェクタにおいて、
前記輝度調整部は、
前記投射光学装置から射出される光の輝度を調整した後、前記回転速度が前記所定速度より小さくなったときにおいても当該調整を維持することを特徴とするプロジェクタ。
【請求項３】
光源から射出された光を、入力される画像情報に応じて変調して光学像を形成する光変調装置と、形成した光学像を拡大投射する投射光学装置とを備えるプロジェクタ本体と、当該プロジェクタ本体に前記画像情報を出力する画像出力装置と、前記プロジェクタ本体および前記画像出力装置を相対回転可能に連結させる連結機構とを備えるプロジェクタであって、
前記プロジェクタ本体および前記画像出力装置の回転位置を検出するための回転位置検出手段と、
前記プロジェクタ本体を制御する制御手段とを備え、
前記制御手段は、
前記回転位置検出手段の検出結果に基づいて、基準回転位置を認識する基準回転位置認識部と、
前記回転位置検出手段の検出結果に基づいて、前記基準回転位置認識部により認識される基準回転位置からの回転角度を算出する回転角度算出部と、
前記回転位置検出手段の検出結果に基づいて、前記投射光学装置から射出される光の輝度を調整するか否かを判定する調整判定部と、
前記調整判定部による判定結果に応じて、前記調整を実施する輝度調整部とを備え、
前記調整判定部は、
前記回転角度算出部により算出される回転角度が所定角度より大きいときに、前記投射光学装置から射出される光の輝度を調整すると判定することを特徴とするプロジェクタ。
【請求項４】
請求項１に記載のプロジェクタにおいて、
前記制御手段は、
前記回転速度算出部により算出される回転速度が所定速度より大きくなった後、当該回転速度が当該所定速度より小さくなったときに、画質調整をするための所定の画像情報を前記光変調装置に対して出力する調整用画像出力部とを備えることを特徴とするプロジェクタ。
【請求項５】
請求項１から請求項４のいずれかに記載のプロジェクタにおいて、
前記輝度調整部は、前記光変調装置を制御することで前記投射光学装置から射出される光の輝度を調整することを特徴とするプロジェクタ。
【請求項６】
請求項１から請求項５のいずれかに記載のプロジェクタにおいて、
前記投射光学装置から射出される光を遮蔽可能とする遮蔽部材を備え、
前記輝度調整部は、前記遮蔽部材を制御することで前記投射光学装置から射出される光の輝度を調整することを特徴とするプロジェクタ。
【請求項７】
光源から射出された光を、入力される画像情報に応じて変調して光学像を形成する光変調装置と、形成した光学像を拡大投射する投射光学装置とを備えるプロジェクタ本体と、当該プロジェクタ本体に前記画像情報を出力する画像出力装置と、前記プロジェクタ本体および前記画像出力装置を相対回転可能に連結させる連結機構とを備えるプロジェクタに用いられる輝度調整方法であって、
前記プロジェクタ本体および前記画像出力装置の回転位置を検出するための回転位置検出手段の検出結果に基づいて、前記プロジェクタ本体および前記画像出力装置の回転速度を算出する回転速度算出ステップと、
前記回転位置検出手段の検出結果に基づいて、前記投射光学装置から射出される光の輝度を調整するか否かを判定する調整判定ステップと、
前記回転位置判定ステップによる判定結果に応じて、前記調整を実施する輝度調整ステップとを実行し、
前記調整判定ステップは、
前記回転速度算出ステップにより算出される回転速度が所定速度より大きいときに、前記投射光学装置から射出される光の輝度を調整すると判定することを特徴とする輝度調整方法。
【請求項８】
光源から射出された光を、入力される画像情報に応じて変調して光学像を形成する光変調装置と、形成した光学像を拡大投射する投射光学装置とを備えるプロジェクタ本体と、当該プロジェクタ本体に前記画像情報を出力する画像出力装置と、前記プロジェクタ本体および前記画像出力装置を相対回転可能に連結させる連結機構とを備えるプロジェクタに用いられる輝度調整方法であって、
前記プロジェクタ本体および前記画像出力装置の回転位置を検出するための回転位置検出手段の検出結果に基づいて、基準回転位置を認識する基準回転位置認識ステップと、
前記回転位置検出手段の検出結果に基づいて、前記基準回転位置認識ステップにより認識される基準回転位置からの回転角度を算出する回転角度算出ステップと、
前記回転位置検出手段の検出結果に基づいて、前記投射光学装置から射出される光の輝度を調整するか否かを判定する調整判定ステップと、
前記調整判定ステップによる判定結果に応じて、前記調整を実施する輝度調整ステップとを備え、
前記調整判定ステップは、
前記回転角度算出ステップにより算出される回転角度が所定角度より大きいときに、前記投射光学装置から射出される光の輝度を調整すると判定することを特徴とする輝度調整方法。
【手続補正２】
【補正対象書類名】明細書
【補正対象項目名】０００６
【補正方法】変更
【補正の内容】
【０００６】
本発明のプロジェクタは、光源から射出された光を、入力される画像情報に応じて変調して光学像を形成する光変調装置と、形成した光学像を拡大投射する投射光学装置とを備えるプロジェクタ本体と、当該プロジェクタ本体に前記画像情報を出力する画像出力装置と、前記プロジェクタ本体および前記画像出力装置を相対回転可能に連結させる連結機構とを備えるプロジェクタであって、前記プロジェクタ本体および前記画像出力装置の回転位置を検出するための回転位置検出手段と、前記プロジェクタ本体を制御する制御手段とを備え、前記制御手段は、前記回転位置検出手段の検出結果に基づいて、前記プロジェクタ本体および前記画像出力装置の回転速度を算出する回転速度算出部と、前記回転位置検出手段の検出結果に基づいて、前記投射光学装置から射出される光の輝度を調整するか否かを判定する調整判定部と、前記調整判定部による判定結果に応じて、前記調整を実施する輝度調整部とを備え、前記調整判定部は、前記回転速度算出部により算出される回転速度が所定速度より大きいときに、前記投射光学装置から射出される光の輝度を調整すると判定することを特徴とする。
【手続補正３】
【補正対象書類名】明細書
【補正対象項目名】０００８
【補正方法】削除
【補正の内容】
【手続補正４】
【補正対象書類名】明細書
【補正対象項目名】００１１
【補正方法】変更
【補正の内容】
【００１１】
本発明のプロジェクタは、光源から射出された光を、入力される画像情報に応じて変調して光学像を形成する光変調装置と、形成した光学像を拡大投射する投射光学装置とを備えるプロジェクタ本体と、当該プロジェクタ本体に前記画像情報を出力する画像出力装置と、前記プロジェクタ本体および前記画像出力装置を相対回転可能に連結させる連結機構とを備えるプロジェクタであって、前記プロジェクタ本体および前記画像出力装置の回転位置を検出するための回転位置検出手段と、前記プロジェクタ本体を制御する制御手段とを備え、前記制御手段は、前記回転位置検出手段の検出結果に基づいて、基準回転位置を認識する基準回転位置認識部と、前記回転位置検出手段の検出結果に基づいて、前記基準回転位置認識部により認識される基準回転位置からの回転角度を算出する回転角度算出部と、前記回転位置検出手段の検出結果に基づいて、前記投射光学装置から射出される光の輝度を調整するか否かを判定する調整判定部と、前記調整判定部による判定結果に応じて、前記調整を実施する輝度調整部とを備え、前記調整判定部は、前記回転角度算出部により算出される回転角度が所定角度より大きいときに、前記投射光学装置から射出される光の輝度を調整すると判定することを特徴とする。
【手続補正５】
【補正対象書類名】明細書
【補正対象項目名】００１４
【補正方法】変更
【補正の内容】
【００１４】
本発明では、前記制御手段は、前記回転速度算出部により算出される回転速度が所定速度より大きくなった後、当該回転速度が当該所定速度より小さくなったときに、画質調整をするための所定の画像情報を前記光変調装置に対して出力する調整用画像出力部とを備えることが好ましい。
【手続補正６】
【補正対象書類名】明細書
【補正対象項目名】００１９
【補正方法】変更
【補正の内容】
【００１９】
本発明の輝度調整方法は、光源から射出された光を、入力される画像情報に応じて変調して光学像を形成する光変調装置と、形成した光学像を拡大投射する投射光学装置とを備えるプロジェクタ本体と、当該プロジェクタ本体に前記画像情報を出力する画像出力装置と、前記プロジェクタ本体および前記画像出力装置を相対回転可能に連結させる連結機構とを備えるプロジェクタに用いられる輝度調整方法であって、前記プロジェクタ本体および前記画像出力装置の回転位置を検出するための回転位置検出手段の検出結果に基づいて、前記プロジェクタ本体および前記画像出力装置の回転速度を算出する回転速度算出ステップと、前記回転位置検出手段の検出結果に基づいて、前記投射光学装置から射出される光の輝度を調整するか否かを判定する調整判定ステップと、前記回転位置判定ステップによる判定結果に応じて、前記調整を実施する輝度調整ステップとを実行し、前記調整判定ステップは、前記回転速度算出ステップにより算出される回転速度が所定速度より大きいときに、前記投射光学装置から射出される光の輝度を調整すると判定することを特徴とする。
また、本発明の輝度調整方法は、光源から射出された光を、入力される画像情報に応じて変調して光学像を形成する光変調装置と、形成した光学像を拡大投射する投射光学装置とを備えるプロジェクタ本体と、当該プロジェクタ本体に前記画像情報を出力する画像出力装置と、前記プロジェクタ本体および前記画像出力装置を相対回転可能に連結させる連結機構とを備えるプロジェクタに用いられる輝度調整方法であって、前記プロジェクタ本体および前記画像出力装置の回転位置を検出するための回転位置検出手段の検出結果に基づいて、基準回転位置を認識する基準回転位置認識ステップと、前記回転位置検出手段の検出結果に基づいて、前記基準回転位置認識ステップにより認識される基準回転位置からの回転角度を算出する回転角度算出ステップと、前記回転位置検出手段の検出結果に基づいて、前記投射光学装置から射出される光の輝度を調整するか否かを判定する調整判定ステップと、前記調整判定ステップによる判定結果に応じて、前記調整を実施する輝度調整ステップとを備え、前記調整判定ステップは、前記回転角度算出ステップにより算出される回転角度が所定角度より大きいときに、前記投射光学装置から射出される光の輝度を調整すると判定することを特徴とする。
このような構成によれば、前述したプロジェクタと同様の作用効果を奏することができる。
【手続補正７】
【補正対象書類名】明細書
【補正対象項目名】００５８
【補正方法】変更
【補正の内容】
【００５８】
前記各実施形態では、調整判定部は、プロジェクタ本体および画像出力装置の回転速度または回転角度が所定速度または所定角度より大きいときに、投射光学装置から射出される光の輝度を調整すると判定していた。この際、所定速度または所定角度は、０であってもよい。